(57)【特許請求の範囲】
【請求項１】
洗浄水によりボウル部を洗浄する水洗大便器において、
便器本体の供給口へ洗浄水を供給する給水装置と、
ボウル形状の汚物受け面と、上記汚物受け面の上側に設けられたリム部と、上記リム部の全周に形成されて洗浄水を導くリム通水路と、上記リム部の全周に形成され且つ上記リム通水路から上記汚物受け面に洗浄水を供給する開口部と、を備えた上記ボウル部と、
上記ボウル部の下方に入口が接続され汚物を排出する排水路と、
上記供給口と上記リム通水路との間に形成され上記リム通水路に洗浄水を導く導水路と、を有し、
この導水路は、上記供給口から上記便器本体の左右方向のうち一方側へと延びる上流側導水路と、この上流側導水路から上記左右方向のうち他方側へと延びる下流側導水路と、を備え、
上記下流側導水路は、その左右方向のうち一方側の内壁面の下流端が、上記便器本体を左右方向の中心線よりも他方側に位置するように形成されている水洗大便器。
【請求項２】
上記下流側導水路は、その幅が上記上流側導水路の幅よりも小さくなるように形成されている請求項１記載の水洗大便器。
【請求項３】
上記下流側導水路は、その幅が上記下流側導水路の入口部から出口部に向けて小さくなるように形成されている請求項１又は請求項２に記載の水洗大便器。
【請求項４】
上記下流側導水路は、その幅が上記下流側導水路の入口部から出口部に向けて大きくなるように形成されている請求項１又は請求項２に記載の水洗大便器。
【請求項５】
上記上流側導水路は、その中心線が、上記供給口の中心より上記左右方向のうちの一方側に偏心して延びるように形成されている請求項１乃至４の何れか１項に記載の水洗大便器。
【請求項６】
上記導水路は、更に、上記上流側導水路の出口部と上記下流側導水路の入口部との間に形成される屈曲部を備え、この屈曲部は、その流路の外周壁の曲率半径が、その流路の内周壁の曲率半径より小さくなるように形成されている請求項１乃至５の何れか１項に記載の水洗大便器。
【請求項７】
（今回追加）
上記給水装置は、洗浄水を貯水する貯水タンクであり、この貯水タンクの底部には、上記便器本体の供給口に洗浄水を供給する排水口が形成され、この貯水タンクの排水口には、上記便器本体の供給口へ供給される洗浄水を上記上流側導水路が延びる方向に導くガイド手段が設けられている請求項１乃至６の何れか１項に記載の水洗大便器。
【請求項８】
（今回追加）
上記ガイド手段は、上記排水口と上記供給口とを接続する筒状のガイド部材であり、このガイド部材には、上記供給口へ供給された洗浄水が上流側導水路の延びる方向に流れるように、ガイド部材の内壁の一部又は全周から内側に突出した絞り部が形成されている請求項７に記載の水洗大便器。
【請求項９】
洗浄水によりボウル部を洗浄する水洗大便器において、
便器本体の供給口へ洗浄水を供給する給水装置と、
ボウル形状の汚物受け面と、上記ボウル部の上縁部に設けられたリム部と、上記リム部の内周に形成されて洗浄水を導くリム通水路と、上記リム通水路上に開口され上記リム通水路に洗浄水を吐水する吐水部と、を備えた上記ボウル部と、
上記ボウル部の下方に接続され汚物を排出する排水路と、
上記供給口と上記吐水部との間に形成され上記吐水部に洗浄水を導く導水路と、を有し、
上記導水路は、上記供給口から上記便器本体の左右方向のうち一方側へと延びる上流側導水路と、この上流側導水路から上記左右方向のうち他方側へと延びる下流側導水路と、を備え、
上記下流側導水路は、その左右方向のうち一方側の内壁面の下流端が、上記便器本体を左右方向の中心線よりも他方側に位置するように形成されている水洗大便器。
【発明の詳細な説明】
【技術分野】
【０００１】
本発明は、水洗大便器に係り、特に、洗浄水によりボウル部を洗浄する水洗大便器に関する。
【背景技術】
【０００２】
従来から、例えば、特許文献１に示すような従来の水洗大便器、及び図１３に示すような特許文献１と類似の構造を有している従来の水洗大便器４０１が、便器本体４０２のリム４０４のリム通水路４０６の底面にスリット開口４１２を備えていたいわゆるオープンリム構造を備えたものが知られている。このようなオープンリム構造においては、リム４０４とボウル部４０８との間のスリット開口４１２の幅を調整することにより、リム４０４内部からボウル部４０８に流下する洗浄水量を調整することとしている。
図１３に示すように、特許文献１の従来のオープンリム構造を備えた水洗大便器４０１においては、供給された洗浄水が、リム通水路４０６内を時計回り方向及び反時計回り方向に分割して流れてボウル部４０８を洗浄することができるように、導水路４１０が便器本体４０２の中央近傍において、リム通水路４０６に接続されている。
【先行技術文献】
【特許文献】
【０００３】
【特許文献１】特許第４０６２７３１号公報
【発明の概要】
【発明が解決しようとする課題】
【０００４】
しかしながら、このような従来の水洗大便器４０１において、近年の節水化の要請により、少ない洗浄水量で洗浄しようとする場合、リム通水路４０６に供給される洗浄水は、洗浄水量が減ったことによりその勢いが弱く、便器本体４０２の中央後方における導水路４１０の出口部近傍の合流部分において、比較的多くの洗浄水が、矢印Ｂ１で示すように、スリット開口４１２からボウル部４０８に流下してしまう。この結果、矢印Ｂ２で示すように、リム通水路４０６に沿って旋回しようとする洗浄水が不十分となり、ボウル部４０８の洗浄が不良となる問題が生じていた。
【０００５】
また、単に、スリット開口４１２の幅を小さく形成することにより導水路４１０の出口部近傍のスリット開口４１２から流下する洗浄水を低減しようとしたのでは、依然として、リム通水路４０６を旋回しようとする洗浄水の勢いを強めることができず、洗浄水がリム通水路４０６を一周することができないという問題が生じている。
それに加え、スリット開口４１２の幅を小さくすることは製造上難しいといった問題もあり、スリット開口４１２の幅を小さくするとは出来なかった。
【０００６】
さらに、図１３に示すように導水路４１０とリム通水路４０６の合流部分の直前で便器本体４０２の中央から向きを変える構造は、そもそも、供給された洗浄水を、リム通水路４０６内を中央から時計回り方向及び反時計回り方向に分割してリム通水路４０６全体に流す構造であるので、洗浄水量が低減された場合には、より強い勢いを有した流れが形成できず、洗浄水が左右片側からリム通水路を一周することができないという問題もあった。
【０００７】
そこで、本発明は、上述した従来技術の問題を解決するためになされたものであり、便器本体の導水路の下流側導水路からリム通水路へ流出する洗浄水がボウル部の左右方向の中心線近傍の領域に流下されることが抑制され、リム通水路を旋回する洗浄水の良好な旋回流によりボウル部を十分に洗浄することができる水洗大便器を提供することを目的としている。
【課題を解決するための手段】
【０００８】
上述した目的を達成するために、本発明は、洗浄水によりボウル部を洗浄する水洗大便器において、便器本体の供給口へ洗浄水を供給する給水装置と、ボウル形状の汚物受け面と、汚物受け面の上側に設けられたリム部と、リム部の全周に形成されて洗浄水を導くリム通水路と、リム部の全周に形成され且つリム通水路から汚物受け面に洗浄水を供給する開口部と、を備えたボウル部と、ボウル部の下方に入口が接続され汚物を排出する排水路と、供給口とリム通水路との間に形成されリム通水路に洗浄水を導く導水路と、を有し、導水路は、供給口から便器本体の左右方向のうち一方側へと延びる上流側導水路と、この上流側導水路から左右方向のうち他方側へと延びる下流側導水路と、を備え、下流側導水路は、その左右方向のうち一方側の内壁面の下流端が、便器本体を左右方向の中心線よりも他方側に位置するように形成されていることを特徴としている。
このように構成された本発明においては、洗浄水が、便器本体の左右方向のうち一方側へと延びる上流側導水路から、方向を変えて下流側導水路に流入され、下流側導水路に沿って、左右方向のうち他方側に導かれる。この左右方向のうち他方側に導かれる洗浄水のうち、下流側導水路の左右方向のうち一方側の内壁面に沿って流れる洗浄水が、便器本体の中心線よりも他方側に位置する下流端部までこの内壁面に沿って流れることができる。従って、この内壁面の下流端部近傍から流出する洗浄水は、中心線近傍の領域に流下されることが抑制され、且つ下流側導水路からリム通水路に向かう洗浄水の主流を形成することできる。よって、リム部の全周に形成された開口部を有するいわゆるオープンリムタイプの水洗大便器において、リム通水路を旋回しようとする洗浄水の良好な旋回流を形成することができ、便器洗浄に使用する洗浄水量を少なく設定した場合においても、ボウル部を旋回流により十分に洗浄することができる。
【０００９】
本発明において、好ましくは、下流側導水路は、その幅が、上流側導水路の幅よりも小さくなるように形成されている。
このように構成された本発明においては、上流側導水路から下流側導水路に流入した洗浄水の流速が下流側導水路において増大され、この内壁面の下流端部近傍から流出する洗浄水は、中心線近傍の領域に広がるように流れることがより抑制され、且つ下流側導水路からリム通水路に向かう洗浄水の主流を形成することでき、より良好にリム通水路を旋回しようとする洗浄水の旋回流を形成することができる。
【００１０】
本発明において、好ましくは、下流側導水路は、その幅が下流側導水路の入口部から出口部に向けて小さくなるように形成されている。
このように構成された本発明においては、下流側導水路に流入した洗浄水の流速が下流側導水路の入口部から出口部に向けて増大される。よって、この内壁面の下流端部近傍から流出する洗浄水は、中心線近傍の領域に広がるように流れることがより抑制され、且つ下流側導水路からリム通水路に向かう洗浄水の主流を形成することでき、より良好にリム通水路を旋回しようとする洗浄水の旋回流を形成することができる。
【００１１】
本発明において、好ましくは、下流側導水路は、その幅が下流側導水路の入口部から出口部に向けて大きくなるように形成されている。
このように構成された本発明においては、下流側導水路の幅が、入口部から出口部に向けて大きくなるように形成されているので、便器洗浄動作の後半において給水装置から便器本体の供給口へ供給される洗浄水の水勢が弱まってくる場合において、下流側導水路出口部から流出する洗浄水は、下流側導水路の幅の広がりに合わせて扇形に広がるような流れを形成でき、ボウル部の広範囲をより均一に洗浄することができる。
【００１２】
本発明において、好ましくは、上流側導水路は、その中心線が、供給口の中心より左右方向のうち一方側に偏心して延びるように形成されている。
このように構成された本発明においては、供給口から便器本体の左右方向のうち一方側へと延びる上流側導水路の中心線が、供給口の中心より左右方向のうち上流側導水路の延びる方向側に偏心して延びているので、供給口から流出する洗浄水が、供給口の中心より左右方向のうち上流側導水路の延びる方向側から、偏心した上流側導水路に比較的スムーズに流出することができる。よって、上流側導水路の中心軸が、供給口の中心から偏心していない場合と比べて、洗浄水が供給口の偏心している上流側導水路の側から比較的スムーズに上流側導水路に流れ込むことができる。
【００１３】
本発明において、好ましくは、導水路が、更に、上流側導水路の出口部と下流側導水路の入口部との間に形成される屈曲部を備え、この屈曲部は、その流路の外周壁の曲率半径がその流路の内周壁の曲率半径より小さく形成されている。
このように構成された本発明においては、屈曲部の流路の外周壁の曲率半径が、その流路の内周壁の曲率の半径より小さいので、屈曲部の流路の外周壁に沿う流れを、屈曲部の流路の内周壁側に沿う流れに向かって誘導することができ、その内周壁側から下流側導水路に延びる壁面に沿うようにリム通水路に向かって流入する洗浄水の勢いが強められ、リム通水路を旋回しようとする流れが形成されやすくなる。
【００１４】
本発明において、好ましくは、給水装置は、洗浄水を貯水する貯水タンクであり、この貯水タンクの底部には、便器本体の供給口に洗浄水を供給する排水口が形成され、この貯水タンクの排水口には、便器本体の供給口へ供給される洗浄水を上流側導水路が延びる方向に導くガイド手段が設けられている。
このように構成された本発明においては、貯水タンクの排水口が、便器本体の供給口へ供給される洗浄水を上流側導水路が延びる方向に導くガイド手段を有するので、ガイド手段に沿って洗浄水が流れるので、排水口から供給口へ流れ込む洗浄水の流れを上流側導水路方向へ誘導することができる。そのため、供給口へ供給された洗浄水を、上流側導水路が延びる方向へ向かいやすくすることができ、より良好にリム通水路を旋回しようとする洗浄水の旋回流を形成することができる。
【００１５】
本発明において、好ましくは、ガイド手段は、排水口と供給口とを接続する筒状のガイド部材であり、このガイド部材には、供給口へ供給された洗浄水が上流側導水路の延びる方向に流れるように、ガイド部材の内壁の一部又は全周から内側に突出した絞り部が形成されている。
このように構成された本発明においては、ガイド手段は、排水口と上記供給口とを接続してする筒状のガイド部材であり、このガイド部材には、供給口へ供給された洗浄水が上流側導水路の延びる方向に流れるように、ガイド部材の内壁の一部又は全周から内側に突出した絞り部が形成されているので、排水口からガイド部材に浸入した洗浄水が便器本体の供給口へと流れると、ガイド部材により、洗浄水が誘導され上流側リム通水路の延びる方向へ多く向かう。そのため、上流側導水路が延びる方向へ向かう洗浄水の流れを作り出すことができ、より良好にリム通水路を旋回しようとする洗浄水の旋回流を形成することができる。
【００１６】
また、本発明は、洗浄水によりボウル部を洗浄する水洗大便器において、便器本体の供給口へ洗浄水を供給する給水装置と、ボウル形状の汚物受け面と、ボウル部の上縁部にあるリム部と、リム部の内周に形成されて洗浄水を導くリム通水路と、リム通水路上に開口されリム通水路に洗浄水を吐水する吐水部と、を備えたボウル部と、ボウル部の下方に接続され汚物を排出する排水路と、供給口と吐水部との間に形成され吐水部に洗浄水を導く導水路と、を有し、導水路は、供給口から便器本体の左右方向のうち一方側へと延びる上流側導水路と、この上流側導水路から左右方向のうち他方側へと延びる下流側導水路と、を備え、下流側導水路は、その左右方向のうち一方側の内壁面の下流端が、便器本体の中心線よりも他方側に位置するように形成されている。
このように構成された本発明においては、洗浄水が、便器本体の左右方向のうち一方側へと延びる上流側導水路から、方向を変えて下流側導水路に流入され、下流側導水路に沿って、左右方向のうち他方側に導かれる。この左右方向のうち他方側に導かれる洗浄水のうち、下流側導水路の左右方向のうち一方側の内壁面に沿って流れる洗浄水が、便器本体の中心線よりも他方側に位置する下流端部までこの内壁面に沿って流れることができる。従って、この内壁面の下流端部近傍から流出する洗浄水は、下流側導水路から吐水部に向かう洗浄水の主流を形成することできる。よって、いわゆるフチなしタイプの水洗大便器において、吐水部から吐水された洗浄水は汚物受け面を旋回しようとする洗浄水の良好な旋回流を形成することができ、便器洗浄に使用する洗浄水量を少なく設定した場合においても、ボウル部を旋回流により十分に洗浄することができる。
【発明の効果】
【００１７】
本発明の水洗大便器によれば、便器本体の導水路の下流側導水路からリム通水路へ流出する洗浄水がボウル部の左右方向の中心線近傍の領域に流下されることが抑制され、リム通水路を旋回する洗浄水の良好な旋回流によりボウル部を十分に洗浄することができる。
【図面の簡単な説明】
【００１８】
【図１】本発明の第１実施形態による水洗大便器を示す側面断面図である。
【図２】本発明の第１実施形態による水洗大便器の便器本体の平面図である。
【図３】本発明の第１実施形態による水洗大便器において便器本体の後方上部の流路を水平断面により示す概略部分拡大図である。
【図４】本発明の第２実施形態による水洗大便器において便器本体の後方上部の流路を水平断面により示す概略部分拡大図である。
【図５】本発明の第３実施形態による水洗大便器において便器本体の後方上部の流路を水平断面により示す概略部分拡大図である。
【図６】本発明の第４実施形態による水洗大便器において便器本体の後方上部の流路を示す概略部分拡大図である。VIII
【図７】本発明の第５実施形態による水洗大便器を示す側面断面図である。
【図８】図８のVIII−VIII線に沿って見た平面断面図である。
【図９】本発明の第５実施形態による洗浄水ガイド部材の変形例を備えた水洗大便器を示す側面断面図である。
【図１０】図９のX−X線に沿って見た平面断面図である。
【図１１】従来の水洗大便器の便器本体を示す平面図である。
【発明を実施するための形態】
【００１９】
以下、添付図面を参照して本発明の実施形態による水洗大便器について説明する。
最初に、図１乃至図３により、本発明の第１実施形態による水洗大便器を説明する。
図１乃至図３に示すように、本発明の第１実施形態による水洗大便器１は、陶器からなる便器本体２を有する。また、便器本体２の後方側の上方には、給水装置である貯水タンク４が設置されている。
【００２０】
ここで、貯水タンク４から供給される洗浄水量は、３リットル乃至６．５リットルの範囲であり、より好ましくは３．８リットル乃至６．５リットルの範囲であり、さらにより好ましくは４．８リットル乃至６リットルの範囲である。
なお、給水装置は、貯水タンクの他、規定の洗浄水量を供給できるフラッシュバルブ等であってもよい。
【００２１】
便器本体２の前方上部には、ボウル部８が形成され、便器本体２の後方上部には、貯水タンク４から洗浄水が供給される供給口６が形成され、さらに、洗浄水を供給口６からボウル部８に導水する導水路１０が形成されている。この供給口６は、便器本体２の前方から見てほぼ中央に配置されている。
さらに、ボウル部８の下方には、溜水部１２が形成され、初期水位の溜水面がＷ０で示されている溜水が貯留されている。また、この溜水部１２の下端には、排水トラップ管路１４（排水路）の入口１４ａが接続されており、排水トラップ管路１４は、その入口１４ａから後方へと延び、その後端１４ｂが床面に設置された排出管（図示せず）に接続されている。
【００２２】
ボウル部８は、ボウル形状に形成されている汚物受け面１６と、その上側に形成されて汚物受け面１６に洗浄水を吐水するリム部１８と、を備えている。このリム部１８は、その上面から下方へ汚物受け面１６近傍まで垂れ下がるように延びるリム垂下壁部２２を備え、このリム垂下壁部２２により、リム部１８の内部（便器本体の中心から見て外側）にリム通水路２０を形成している。
また、リム部１８には、リム部１８の周方向に沿って形成されたリム通水路２０の内側且つ下方が全周にわたって開口されてスリット開口部２６が形成され、いわゆる、オープンリム部となっている。このスリット開口部２６が、洗浄水を汚物受け面１６に吐水する吐水部を形成している。
【００２３】
また、ボウル部８には、汚物受け面１６とリム部１８との間にボウル部８のほぼ全周に亘って形成された棚状のリム通水路底面２４が形成されている。リム通水路底面２４は、ボウル部８の上部に環状に形成された平坦面を形成し、この平坦面はボウル部８の外側方向から内側方向においては、ほぼ水平に形成されている。
このリム通水路底面２４により、導水路１０から供給された洗浄水が、リム通水路２０のリム通水路底面２４上を流れながらボウル部８の上部を反時計回りの方向に一周する流れを形成することができる。
【００２４】
次に、導水路１０について詳細に説明する。図１及び図２に示すように、便器本体２の導水路１０の後端には、上述した貯水タンク４が接続される供給口６が形成され、貯水タンク４から供給された洗浄水は、供給口６から便器本体２の導水路１０に流入し、導水路１０からリム通水路２０に流出するようになっている。
【００２５】
図２及び図３に示すように、導水路１０は、供給口６から便器本体２の左右方向のうち右側（一方側）へと延びる上流側導水路２８と、この上流側導水路２８から左右方向のうち左側（他方側）へと延びる下流側導水路３０とを備えている。導水路１０は、便器本体２の左右方向の中心線Ｃに対して左右非対称の流路を形成している。導水路１０は、上流側導水路２８と下流側導水路３０とにより、「く」の字形状の流路を形成している。上流側導水路２８と下流側導水路３０とは屈曲部３２により接続され、この屈曲部３２は、便器本体２の中心線Ｃに対して右側領域に位置している。
【００２６】
上流側導水路２８は、便器本体２の左右方向の中心線Ｃ上に位置する供給口６の直ぐ下流の入口部２８ｂから斜めに右側方向に向かって直線的に延び、中心線Ｃに対して右側に配置された出口部２８ａまで延びている。上流側導水路２８は、その中心線Ａ１は、中心線Ｃに対して前方が右側外向きに傾斜するように配置されている。
【００２７】
図２及び図３に示すように、供給口６は、その中心点ｃ１が便器本体２の左右方向の中心線Ｃ上となるように配置されるようになっている。上流側導水路２８は、その中心線Ａ１が便器本体２の中心線Ｃよりも右側方向に偏心して形成されている。また、上流側導水路２８の中心線Ａ１は、供給口６の中心点ｃ１よりも便器本体２の中心線Ｃの右側の位置ａ１を通って偏心して延びている。
上流側導水路２８は、その中心線Ａ１が入口部２８ｂから出口部２８ａまで中心線Ｃに対して右側に偏心して延びている。中心線Ａ１を後方に延長すると、中心線Ｃと、供給口６の中心点ｃ１よりも後方の位置ａ２において交わるようになっている。
【００２８】
上流側導水路２８の入口部２８ｂは、供給口６の外周の壁面２９の中心線Ｃに対して右側にずれた位置に、接続されている。
【００２９】
屈曲部３２は、上流側導水路２８の出口部２８ａと、下流側導水路３０の入口部３０ａとを接続する屈曲した流路として形成される。屈曲部３２は、屈曲部３２の流路の外側（便器本体２の外側）に形成された外周壁３２ａと、屈曲部３２の流路の内側に形成された内周壁３２ｂと、を備えている。
ここで、屈曲部３２の外周壁３２ａの曲率半径ｒ１は、内周壁３２ｂの曲率半径ｒ２より小さくなるように形成されている。
【００３０】
屈曲部３２は、外周壁３２ａの曲率半径ｒ１と、内周壁３２ｂの曲率半径ｒ２との大きさの比が、１：２の比から４：５の比までの範囲に設定されている。一例として、外周壁３２ａの曲率半径ｒ１と、内周壁３２ｂの曲率半径ｒ２との大きさの比が、３：４の比に設定されている。
【００３１】
下流側導水路３０は、入口部３０ａから左側へと延び出口部３０ｂに至る経路を形成し、この出口部３０ｂが、リム通水路２０の合流部２０ａに接続される。この合流部２０ａは、リム通水路２０の左側後部に配置されている。合流部２０ａにおいて、下流側導水路３０の出口部３０ｂから流出する洗浄水の流れと、リム通水路２０を周回して戻ってきた洗浄水の流れとが合流するようになっている。
下流側導水路３０は、入口部３０ａから出口部３０ｂまで、便器本体２の中心線Ｃを右側から左側に向かって斜めに横切るような直線的な流路を形成している。
【００３２】
下流側導水路３０は、その入口部３０ａが、中心線Ｃに対して右側領域に配置され、その中間部３０ｄが、中心線Ｃ近傍に配置され、さらに、その出口部３０ｂが、中心線Ｃに対して左側領域に配置されている。よって、下流側導水路３０は、中心線Ｃの右側から中心線Ｃを超えてボウル部８の左側後部領域まで延びるような比較的長い流路を形成している。下流側導水路入口部３０ａが、中心線Ｃに対して右側に配置されているので、入口部３０ａからボウル部８の左側後部領域に位置する出口部３０ｂまでの長さが、比較的長い長さに設定される。下流側導水路３０は、比較的長い長さの流路を有しているので、洗浄水が下流側導水路３０において良好に整流されることができ、洗浄水の指向性が高められ、下流側導水路３０の出口部３０ｂからリム通水路２０上を周回しようとする向きに整った流れ且つ比較的水勢の強い状態の流れにより吐水される。
【００３３】
下流側導水路３０とリム通水路２０とが接続される領域においては、下流側導水路３０の外側壁面３０ｃと、リム部１８のリム通水路外側壁面３４とが、ほぼ平坦に連続して形成されている。即ち、外側壁面３０ｃとリム通水路外側壁面３４とは接続部近傍において面一に形成され、外側壁面３０ｃの延びる方向と、リム通水路外側壁面３４の接線方向とが、ほぼ一致している。従って、洗浄水が、下流側導水路３０の外側壁面３０ｃからリム部１８のリム通水路外側壁面３４に直線的に延びる平坦面に沿って滑らかに流れることができ、これらの外側壁面３０ｃに沿って流れる流れの圧力損失を抑制することができる。
【００３４】
下流側導水路３０の右側の内壁面３８は、便器本体２の中心線Ｃの右側から、この中心線Ｃの左側まで延びている。
内壁面３８は、下流側導水路３０の入口部３０ａを形成し且つ外周壁３２ａの下流側端部３２ｃと接続される上流端部３８ａと、下流側導水路３０の出口部３０ｂを形成し且つ中心線Ｃよりも左側に位置する下流端部３８ｂと、を形成している。従って、内壁面３８は、中心線Ｃの右側から左側まで中心線Ｃを超えて延びている。
【００３５】
下流側導水路３０の内壁面３８の下流端部３８ｂは、中心線Ｃよりも左側に突出する凸部を形成している。内壁面３８の下流端部３８ｂは、中心線Ｃよりも左側の領域において、汚物受け面１６の後方側から延びるリム通水路外側壁面３４と接続されている。
下流端部３８ｂは、中心線Ｃよりも左側に突出する凸部を形成しているので、下流端部３８ｂは、中心線Ｃ上において、下流側導水路３０の流路と、リム通水路２０の中央後方領域２０ｂとを区切っている。
【００３６】
ここで、下流側導水路３０の内壁面３８は、下流側導水路３０の後述する仮想中心線Ｅ（図３において仮想線で示されている）に対して寄せられて形成されている。このとき下流側導水路３０の外側壁面３０ｃは、仮想中心線Ｅに対して寄せられていない。
仮想中心線Ｅは、図３に示されたように、仮想下流側導水路４０の流路の中心線であり、仮想下流側導水路４０の延びる向きに平行に延び、仮想内壁面４２と、外側壁面３０ｃとの間の仮想的な中心線である。
【００３７】
下流側導水路３０の内壁面３８が、仮想中心線Ｅ及び外側壁面３０ｃに対して、「寄せられている」状態及び形状について説明する。
下流側導水路３０に対し、上流側導水路２８とほぼ同じ幅を有している仮想下流側導水路４０を想定する。仮想下流側導水路４０は、仮想下流側導水路４０の左右方向の右側の仮想内壁面４２を備えている。
このような仮想下流側導水路４０は、上流側導水路２８及び屈曲部３２の下流側に接続され、且つ、仮想下流側導水路４０の仮想中心線Ｅが、中心線Ｃと、左右両側の取付部３６とを結ぶ取付位置線Ｄとの交点Ｃ２を通るように配置される。このような仮想下流側導水路４０においては、仮想中心線Ｅが、仮想内壁面４２及び外側壁面３０ｃの中心に配置され、仮想内壁面４２と、外側壁面３０ｃとは、仮想中心線Ｅに対して対称に配置されるように設定されている。
【００３８】
この仮想下流側導水路４０の仮想中心線Ｅに対し、仮想内壁面４２を例えば平行移動させるように寄せることにより、下流側導水路３０の内壁面３８を形成している。従って、下流側導水路３０の幅Ｗ１は、上流側導水路２８の幅Ｗ２よりも小さくなっている。また、下流側導水路３０の幅Ｗ１は、仮想下流側導水路４０の幅Ｗ３よりも４分の３程度の幅まで小さくなっている。従って、上流側導水路２８の中心線Ａ１上の点と、上記交点Ｃ２とを結ぶ仮想中心線Ｅから内壁面３８までの距離ｌ１は、仮想中心線Ｅから外側壁面３０ｃまでの距離ｌ２よりも短い。また、交点Ｃ２から内壁面３８までの距離ｌ３は、交点Ｃ２から外側壁面３０ｃまでの距離ｌ４よりも短い。
また、下流側導水路３０は、内壁面３８と外側壁面３０ｃとの間の幅Ｗ１がほぼ一定に形成されている。よって、下流側導水路３０の幅は、下流側導水路３０の入口部３０ａから、中間部３０ｄ、出口部３０ｂまでほぼ一定となるように形成されている。
【００３９】
このように、内壁面３８と、外側壁面３０ｃとは、仮想中心線Ｅに対して非対称に形成される。また、上述のように、内壁面３８は、仮想中心線Ｅに対して寄せられているので、下流側導水路３０の実際の中心線となる実際中心線Ｆは、仮想中心線Ｅよりも外側壁面３０ｃ側に寄ることとなる。よって、実際中心線Ｆは、上記交点Ｃ２よりも左側の領域において、取付位置線Ｄと交差する。
下流側導水路３０の内壁面３８が外側壁面３０ｃに向かって寄せられていることにより、内壁面３８の下流端部３８ｂが中心線Ｃよりも左側の領域に位置している。
【００４０】
下流側導水路３０の実際中心線Ｆは、中心線Ｃに対して前方が左側外向きに傾斜するように配置されている。上流側導水路２８の中心線Ａ１と、下流側導水路３０の実際中心線Ｆとの交点は、中心線Ｃに対して右側に位置するのに対し、下流側導水路出口部３０ｂは、中心線Ｃに対して反対側の左側に位置している。中心線Ａ１と、中心線Ｃとが成す角度は、仮想中心線Ｅ（又は実際中心線Ｆ）と中心線Ｃとが成す角度よりも小さくなるように配置されている。例えば、仮想中心線Ｅは、中心線Ｃに対し、３０度〜７０度、好ましくは４０度〜６０度の範囲の角度を有するようになっている。
【００４１】
下流側導水路３０は、その一部が、リム通水路２０の合流部２０ａの少なくとも一部の流路と平行となるような流路を形成している。
下流側導水路３０の内壁面３８は、この内壁面３８に沿って延ばされる直線がリム通水路２０上に延びるような傾きをもって形成されている。
よって、下流側導水路３０の出口部３０ｂ近傍においては、下流側導水路３０の実際中心線Ｆの向きと、合流部２０ａにおけるリム通水路２０上を周回しようとする洗浄水の流線Ａ３の向きとがほぼ一致するようになっているので、下流側導水路３０の出口部３０ｂから流出する洗浄水が、リム通水路２０上をほぼ同じ旋回方向（反時計回り）に流れ、水の勢いを保った状態（流量及び流速をほぼ維持した状態）でリム通水路２０上を周回しようとする主流を形成することができる。従って、下流側導水路３０からリム通水路２０の合流部２０ａに合流する洗浄水が、リム通水路２０上の主流の方向と逆の旋回方向に向かってリム通水路２０上を通り流れることを抑制し、さらに、中央後方領域２０ｂ側に向かって広がるように流れてスリット開口部２６から汚物受け面１６に流下してしまうことを抑制できる。
【００４２】
また、便器本体２は、便器本体２上に便座を取付けるための取付部３６を有する。取付部３６は、便器本体２のリム通水路２０より後方の左右両側近傍の位置に設けられる。取付部３６は便器本体２内部に向かって取付構造を形成するため、取付部３６を形成する位置においては、下流側導水路３０を形成することはできなくなる。下流側導水路３０は、このような左右両側の取付部３６の間に形成され、取付部３６を回避して設けられることができ、さらに、比較的長い長さの流路を形成している。ここで、左右両側の取付部３６の間を結ぶ仮想的な直線を取付位置線Ｄとする。取付位置線Ｄは、中心線Ｃに対して直交するように、便器本体２の左右方向に延びている。下流側導水路３０は、取付位置線Ｄに対して、０°より大きく９０°より小さい角度の範囲で斜めに交差するように配置されている。
【００４３】
つぎに、上述した本発明の第１実施形態による水洗大便器の作用（動作）を説明する。
最初に、貯水タンク４の操作レバー（図示せず）を操作すると、貯水タンク４の排水弁（図示せず）が開き、貯水タンク４から洗浄水（例えば、６．０リットル）が便器本体２の供給口６から導水路１０に供給される。
【００４４】
貯水タンク４から便器本体２の供給口６に供給された洗浄水は、矢印Ｆ１に示すように、上流側導水路２８が偏心している右側から上流側導水路２８に流入する。上流側導水路２８に流入した洗浄水は、右側へと徐々に偏心するように流れる。すなわち、洗浄水は、中心線Ｃから遠ざかるように右側に向かって流れる。洗浄水は、上流側導水路２８の出口部２８ａに到達すると、屈曲部３２において向きを変える。即ち、洗浄水は、便器本体２の右側向きの流れから左側向きの流れに方向が転換される。
【００４５】
屈曲部３２の内周側においては、洗浄水は、矢印Ｆ２に示すように、比較的大きな曲率半径ｒ２を有する内周壁３２ｂに沿って流れる。洗浄水は、さらに、外側壁面３０ｃに沿って流れ、後述する洗浄水の水流Ｆ６と合流し、矢印Ｆ３及びＦ４に示すように、その内周壁３２ｂ側から下流側導水路３０の外側壁面３０ｃに沿うようにリム通水路２０に向かって流れる。
【００４６】
屈曲部３２の外周側においては、洗浄水は、矢印Ｆ５に示すように、比較的小さな曲率半径ｒ１を有する外周壁３２ａに沿って向きを変え、跳ね返るように内側向きに流れる。このとき、洗浄水は、外周壁３２ａの曲率半径の小さな円弧に沿って比較的大きく向きを変え、矢印Ｆ６に示すように、下流側導水路３０の外側壁面３０ｃの方向に向かうように流れる。外周壁３２ａの曲率半径ｒ１が比較的小さく形成されているので、外周壁３２ａに沿って流れる洗浄水の主流を内壁面３８から離間して外側壁面３０ｃの方向に向かうように方向付けすることができる。さらに、外周壁３２ａの下流側の内壁面３８に沿って流れる流れＦ７の割合を比較的抑制し、下流側導水路３０の外側壁面３０ｃに沿って流れるような流れＦ３及びＦ４を主流として、リム通水路２０に向かって流入する洗浄水の勢いを比較的強く形成することができる。
【００４７】
このように、洗浄水は、矢印Ｆ３及びＦ４に示すように、直線的に延びる下流側導水路３０に沿って下流側導水路３０の入口部３０ａから出口部３０ｂに向かって直線的な流れとなる。洗浄水は、下流側導水路３０の入口部３０ａから中心線Ｃを越えて直線的に流れ、水勢を維持しながら流れが均一に整えられる。従って、洗浄水は、下流側導水路３０ｂの出口部３０ｂから左右に拡がることが抑制され、実際中心線Ｆに沿って直線的に流れる。
【００４８】
矢印Ｆ７に示すように、洗浄水は、下流側導水路３０の右側（一方側）の内壁面３８に沿って流れる。矢印Ｆ８に示すように、内壁面３８に沿って流れる洗浄水は、便器本体２の中心線Ｃよりも左側（他方側）に位置する下流端部３８ｂまでこの内壁面３８に沿って流れる。内壁面３８に沿って流れる洗浄水は、一旦中心線Ｃを超えて左側領域まで流れるため、例えば便器洗浄動作の前半及び中盤における貯水タンク４から便器本体２の供給口６へ供給される洗浄水の水勢が比較的強い場合において、下流端部３８ｂ近傍から流出する洗浄水は、中心線Ｃ近傍のリム通水路２０の中央後方領域２０ｂに向かって流れにくくなっている。従って、この内壁面３８の下流端部３８ｂ近傍から流出する洗浄水は、汚物受け面１６の中心線Ｃ近傍の領域に向かって広がるように流下されることが抑制され、且つ、矢印Ｆ９に示すように、下流側導水路３０から内壁面３８の延長線上のリム通水路２０に向かう直線的な洗浄水の主流を形成することできる。
【００４９】
また、下流側導水路３０の幅が、上流側導水路２８の幅よりも小さいので、上流側導水路２８から下流側導水路３０に流れる洗浄水の流速が下流側導水路３０において増大される。よって、矢印Ｆ４及びＦ９に示すような、この内壁面３８の下流端部３８ｂ近傍から流出する洗浄水は、流速及び水勢が増大される。従って、中心線Ｃ近傍の領域、中央後方領域２０ｂ及び汚物受け面１６の中心線Ｃ近傍の領域、に広がるように流れることがより抑制され、且つ下流側導水路３０からリム通水路２０に向かう洗浄水の主流を形成することでき、より良好にリム通水路２０を旋回しようとする洗浄水の旋回流を形成することができる。
【００５０】
図２において矢印Ｆ１０及びＦ１１に示すように、下流側導水路３０の出口部３０ｂから流出する洗浄水は、リム通水路２０上を周回して流れる。中央後方領域２０ｂから汚物受け面１６の中心線Ｃ近傍の領域に流下される洗浄水の量が低減されるため、この洗浄水の旋回方向に向かう単位時間当たりの流量が増大されている。多くの洗浄水は、リム通水路２０におけるリム通水路底面２４上を流れる旋回流れの主流を形成する。
このような旋回流れを形成しながら、洗浄水が、リム通水路底面２４の内側に形成されたスリット開口部２６から、徐々に流下し、矢印Ｆ１２に示すように、ボウル部８の汚物受け面１６の全体を均一に洗浄することとなる。ボウル部８を流下した洗浄水は、汚物とともに排水トラップ管路１４から排出されて、便器本体２の一連の洗浄動作が終了する。
【００５１】
本発明の第１実施形態による水洗大便器１は、左右非対称の導水路１０を備えているが、これに限らず、左右逆転した形状の導水路を採用していてもよい。この場合には、リム通水路上を流れる洗浄水は、時計回りの旋回流れを形成する。なお、以下説明する第２実施形態による水洗大便器１０１、及び第３実施形態による水洗大便器２０１においても、同様な形状の流路構成を採用していてもよい。
【００５２】
上述した本発明の第１実施形態による水洗大便器１によれば、洗浄水が、便器本体２の右側へと延びる上流側導水路２８から、方向を変えて下流側導水路３０に流入され、下流側導水路３０に沿って、左側に導かれる。この左側に導かれる洗浄水のうち、下流側導水路３０の右側の内壁面３８に沿って流れる洗浄水が、便器本体２の中心線Ｃよりも左側に位置する下流端部３８ｂまでこの内壁面３８に沿って流れることができる。従って、この内壁面３８の下流端部３８ｂ近傍から流出する洗浄水は、中心線Ｃ近傍の領域に流下されることが抑制され、且つ下流側導水路３０からリム通水路２０に向かう洗浄水の主流を形成することできる。よって、リム部１８の全周に形成された開口部を有するいわゆるオープンリムタイプの水洗大便器において、リム通水路２０を旋回しようとする洗浄水の良好な旋回流を形成することができ、便器洗浄に使用する洗浄水量を少なく設定した場合においても、ボウル部８を旋回流により十分に洗浄することができる。
【００５３】
また、本発明の第１実施形態による水洗大便器１によれば、上流側導水路２８から下流側導水路３０に流入した洗浄水の流速が下流側導水路３０において増大され、この内壁面３８の下流端部３８ｂ近傍から流出する洗浄水は、中心線Ｃ近傍の領域に広がるように流れることがより抑制され、且つ下流側導水路３０からリム通水路２０に向かう洗浄水の主流を形成することでき、より良好にリム通水路２０を旋回しようとする洗浄水の旋回流を形成することができる。
【００５４】
さらに、本発明の第１実施形態による水洗大便器１によれば、便器本体２の右側へと延びる上流側導水路２８の中心線Ａ１が、供給口６の中心点ｃ１より右側に偏心して延びているので、供給口６から流出する洗浄水が、供給口６の中心点ｃ１より右側から、偏心した上流側導水路２８に比較的スムーズに流出することができる。よって、上流側導水路２８の中心線Ａ１が、供給口６の中心点ｃ１から偏心していない場合と比べて、上流側導水路２８の側から比較的スムーズに上流側導水路２８に流れ込むことができる。
【００５５】
また、本発明の第１実施形態による水洗大便器１によれば、屈曲部３２の流路の外周壁３２ａの曲率半径ｒ１が、その流路の内周壁３２ｂの曲率半径ｒ２より小さいので、屈曲部３２の流路の外周壁３２ａに沿う流れを、屈曲部３２の流路の内周壁３２ｂに沿う流れに向かって誘導することができ、その内周壁３２ｂ側から下流側導水路３０に延びる外側壁面３０ｃに沿うようにリム通水路２０に向かって流入する洗浄水の勢いが強められ、リム通水路２０を旋回しようとする流れが形成されやすくなる。
【００５６】
次に、図４により、本発明の第２実施形態による水洗大便器を説明する。第２実施形態による水洗大便器には、上述した第１実施形態と同一部分には同一符号を付し、それらの説明は省略する。
【００５７】
本発明の第２実施形態による水洗大便器１０１は、陶器等からなる便器本体１０２を有する。
便器本体１０２の後方上部には、供給口６とリム通水路２０との間に形成され、貯水タンク（図示せず）から供給された洗浄水を供給口６からボウル部８に導水する導水路１１０が形成されている。
この第２実施形態においては、導水路１１０の下流側導水路１３０の幅が、下流側導水路１３０の入口部から出口部に向けて小さくなるように形成されている構成のみが、第１実施形態の水洗大便器１における導水路１０の下流側導水路３０の形状と異なっている。
【００５８】
次に、導水路１０の下流側導水路１３０について詳細に説明する。
図４に示すように、下流側導水路１３０は、屈曲部３２に接続される下流側導水路入口部１３０ａから左側へと延び、リム通水路２０の合流部２０ａに接続される下流側導水路出口部１３０ｂに至る流路を形成している。
【００５９】
下流側導水路１３０は、その入口部１３０ａが、中心線Ｃに対して右側領域に配置され、その中間部１３０ｄが、中心線Ｃ近傍の中央近傍領域に配置され、さらに、その出口部１３０ｂが、中心線Ｃに対して左側の左側領域に配置されている。
【００６０】
第２実施形態においては、下流側導水路１３０の右側の内壁面１３８は、便器本体１０２の中心線Ｃに対する右側から、この中心線Ｃよりも左側まで延びている。
内壁面１３８は、入口部１３０ａを形成し且つ外周壁３２ａの下流側端部３２ｃと接続される上流端部１３８ａと、出口部１３０ｂを形成し且つ中心線Ｃよりも左側に位置する下流端部１３８ｂと、を形成している。従って、内壁面１３８は、中心線Ｃの右側から左側まで中心線Ｃを超えて延びている。
【００６１】
下流側導水路１３０の内壁面１３８の下流端部１３８ｂは、中心線Ｃよりも左側の領域に突出する凸部を形成している。内壁面１３８の下流端部１３８ｂは、中心線Ｃよりも左側の領域において、汚物受け面１６の後方側から延びるリム通水路外側壁面３４と接続されている。
下流端部１３８ｂは、中心線Ｃよりも左側の領域に突出する凸部を形成しているので、下流端部１３８ｂは、中心線Ｃ上において、下流側導水路１３０の流路と、リム通水路２０の中央後方領域２０ｂとを区切っている。
【００６２】
第２実施形態においても、第１実施形態と同様に仮想的な形態の仮想下流側導水路４０の仮想中心線Ｅに対し、仮想内壁面４２を例えば平行移動させるように寄せることにより、下流側導水路１３０の内壁面１３８を形成している。
【００６３】
本発明の第２実施形態においては、第１実施形態と異なり、下流側導水路１３０の幅は、下流側導水路１３０の入口部１３０ａから中間部１３０ｄ、及び出口部１３０ｂに向けて小さくなるように形成されている。よって、入口部１３０ａの幅Ｗ４＞中間部１３０ｄの幅Ｗ５＞出口部１３０ｂの幅Ｗ６の関係となっている。ここで、仮想中心線Ｅから外側壁面３０ｃまでの距離は一定であるので、仮想中心線Ｅから内壁面１３８までの距離が、入口部１３０ａから中間部１３０ｄ、及び出口部１３０ｂに向けて小さくなるように形成されている。
【００６４】
第２実施形態においては、下流側導水路１３０の入口部１３０ａの幅Ｗ４＞出口部１３０ｂの幅Ｗ６の関係を満たすものも含む。また、第２実施形態においては、中間部１３０ｄの幅Ｗ５＞出口部１３０ｂの幅Ｗ６の関係を満たすものも含む。例えば、下流側導水路１３０の幅は、入口部１３０ａから出口部１３０ｂに向けてほぼ一定の変化割合で小さくなるように形成されている。下流側導水路１３０の幅は、上述のような関係を有するに際し、入口部１３０ａから出口部１３０ｂに向けてほぼ一定の変化割合で変化せず、非線形的に変化していてもよい。
【００６５】
内壁面１３８は、下流側が仮想中心線Ｅに対して近づくようにわずかに傾斜して形成されている。第２実施形態の下流側導水路１３０の幅、例えば、入口部１３０ａの幅Ｗ４は、上流側導水路２８の幅Ｗ２よりも小さくなっている。また、下流側導水路１３０の入口部１３０ａの幅Ｗ４は、仮想下流側導水路４０の幅Ｗ３（図４においては仮想下流側導水路４０の図示を省略しているため図３参照）よりも４分の３程度の幅まで小さくなっている。従って、上流側導水路２８の中心線Ａ１上の点と、上記交点Ｃ２とを結ぶ仮想中心線Ｅから内壁面１３８までの距離ｌ５は、仮想中心線Ｅから外側壁面３０ｃまでの距離ｌ６よりも短い。また、交点Ｃ２から内壁面１３８までの距離ｌ７は、交点Ｃ２から外側壁面３０ｃまでの距離ｌ８よりも短い。
【００６６】
上述のように、下流側導水路１３０の幅が入口部１３０ａから出口部１３０ｂに向けて小さくなり、流路の断面積も減少されるため、下流側導水路に流入した洗浄水の流速及び水勢が下流側導水路において入口部１３０ａから出口部１３０ｂに向けて増大される。よって、出口部１３０ｂ近傍から流出する洗浄水は、流速及び水勢が増大される。従って、中心線Ｃ近傍の領域、例えば中央後方領域２０ｂ及び汚物受け面１６の中心線Ｃ近傍の領域、に広がるように流れることがより抑制され、且つ下流側導水路１３０からリム通水路２０に向かう洗浄水の主流を形成することでき、より良好にリム通水路２０を旋回しようとする洗浄水の旋回流を形成することができる。
【００６７】
次に、図５により、本発明の第３実施形態による水洗大便器を説明する。第３実施形態に関し、上述した第１実施形態と同一部分には同一符号を付し、それらの説明は省略する。
【００６８】
本発明の第３実施形態による水洗大便器２０１は、陶器等からなる便器本体２０２を有する。
便器本体２０２には、貯水タンク（図示せず）から供給された洗浄水を供給口６からボウル部８に導水する導水路２１０が、供給口６とリム通水路２０との間に形成されている。
この第３実施形態においては、導水路２１０の下流側導水路２３０の形状が、下流側導水路２３０の幅が下流側導水路２３０の入口部から出口部に向けて大きくなるように形成されている構造のみが、第１実施形態における導水路１０の下流側導水路３０の形状と異なっている。
【００６９】
次に、下流側導水路２３０について詳細に説明する。図５に示すように、下流側導水路２３０は、屈曲部３２に接続される入口部２３０ａから左側へと延び、リム通水路２０の合流部２０ａに接続される出口部２３０ｂに至る流路を形成している。
【００７０】
下流側導水路２３０は、その入口部２３０ａが、中心線Ｃに対して右側の右側領域に配置され、その中間部２３０ｄが、中心線Ｃ近傍の中央近傍領域に配置され、さらに、その出口部２３０ｂが、中心線Ｃに対して左側の左側領域に配置されている。
【００７１】
第３実施形態においては、下流側導水路２３０の右側の内壁面２３８は、便器本体２０２の中心線Ｃに対する右側から、この中心線Ｃよりも左側の領域まで延びている。
内壁面２３８は、下流側導水路２３０の入口部２３０ａを形成し且つ外周壁３２ａの下流側端部３２ｃと接続される上流端部２３８ａと、下流側導水路出口部２３０ｂを形成し且つ中心線Ｃよりも左側に位置する下流端部２３８ｂと、を形成している。従って、内壁面２３８は、中心線Ｃの右側から左側まで中心線Ｃを超えて延びている。
【００７２】
下流側導水路２３０の内壁面２３８の下流端部２３８ｂは、中心線Ｃよりも左側の領域に突出する凸部を形成している。内壁面２３８の下流端部２３８ｂは、中心線Ｃよりも左側の領域において、汚物受け面１６の後方側から延びるリム通水路外側壁面３４と接続されている。
下流端部２３８ｂは、中心線Ｃよりも左側に突出する凸部を形成しているので、下流端部２３８ｂは、中心線Ｃ上において、下流側導水路２３０の流路と、リム通水路２０の中央後方領域２０ｂとを区切っている。
【００７３】
第３実施形態においても、第１実施形態と同様に仮想的な形態の仮想下流側導水路４０（図３参照）の仮想中心線Ｅに対し、仮想内壁面４２（図３参照）を例えば平行移動させるように寄せることにより、下流側導水路２３０の内壁面２３８を形成している。
【００７４】
本発明の第３実施形態においては、第１実施形態と異なり、下流側導水路２３０の幅は、入口部２３０ａから中間部２３０ｄ、及び出口部２３０ｂに向けて大きくなるように形成されている。よって、下流側導水路２３０の入口部２３０ａの幅Ｗ７＜中間部２３０ｄの幅Ｗ８＜出口部２３０ｂの幅Ｗ９の関係となっている。ここで、仮想中心線Ｅから外側壁面３０ｃまでの距離は一定であるので、仮想中心線Ｅから内壁面２３８までの距離が、入口部２３０ａから中間部２３０ｄ、及び出口部２３０ｂに向けて大きくなるように形成されている。
【００７５】
第３実施形態においては、下流側導水路２３０の入口部２３０ａの幅Ｗ７＜出口部２３０ｂの幅Ｗ９の関係を満たすものも含む。また、第３実施形態においては、中間部２３０ｄの幅Ｗ８＜出口部２３０ｂの幅Ｗ９の関係を満たすものも含む。例えば、下流側導水路２３０の幅は、入口部２３０ａから出口部２３０ｂに向けてほぼ一定の変化割合で小さくなるように形成されている。下流側導水路２３０の幅は、上述のような関係を有するに際し、下流側導水路入口部２３０ａから下流側導水路出口部２３０ｂに向けてほぼ一定の変化割合で変化せず、非線形的に変化していてもよい。
【００７６】
内壁面２３８は、下流側が仮想中心線Ｅに対して離間するようにわずかに傾斜して形成されている。本実施形態の下流側導水路２３０の幅Ｗ７は、上流側導水路２８の幅Ｗ２よりも小さくなっている。例えば、下流側導水路２３０の出口部２３０ｂの幅Ｗ９であっても、上流側導水路２８の幅Ｗ２よりも小さくなっている。また、入口部２３０ａの幅Ｗ７は、仮想下流側導水路４０の幅Ｗ３（図５においては仮想下流側導水路４０の図示を省略しているため図３参照）よりも４分の３程度の幅まで小さくなっている。従って、上流側導水路２８の中心線Ａ１上の点と、上記交点Ｃ２とを結ぶ仮想中心線Ｅから内壁面２３８までの距離ｌ９は、仮想中心線Ｅから外側壁面３０ｃまでの距離ｌ１０よりも短い。また、交点Ｃ２から内壁面２３８までの距離ｌ１１は、交点Ｃ２から外側壁面３０ｃまでの距離ｌ１２よりも短い。
【００７７】
上述のように、下流側導水路２３０の幅が入口部２３０ａから出口部２３０ｂに向けて広がるため、便器洗浄動作の後半（或いは便器洗浄動作の終了直前時期）において貯水タンク４から便器本体２０２へ供給される洗浄水の水勢が弱まってくる場合においては、矢印Ｆ１３に示すように、下流側導水路２３０に流入した洗浄水が入口部２３０ａから出口部２３０ｂに向けて比較的緩やかな洗浄水の水勢及び比較的遅い流速により広がるような流れを形成できる。従って、下流側導水路２３０の出口部２３０ｂから流出する洗浄水は、下流側導水路２３０の幅の広がりに合わせて扇形に広がるような流れを形成でき、リム通水路２０上を旋回して中央後方領域２０ｂに戻ってきた流速及び水勢の低減された流れと相俟って、ボウル部の広範囲に広がるように流れ、ボウル部の広範囲をより均一に洗浄することができる。
一方、便器洗浄動作の前半及び中盤における貯水タンク４から便器本体２０２の供給口６へ供給される洗浄水の水勢が比較的強い場合においては、矢印Ｆ１４に示すように、下流側導水路２３０内を流れる洗浄水は、所定の長さ直線的に延びる下流側導水路２３０の流路及び外側壁面３０ｃ等に沿って、上述のように下流側導水路２３０からリム通水路２０に直線的に向かう向きの指向性を有した流れを形成することとなる。
【００７８】
上述した本発明の第３実施形態による水洗大便器２０１によれば、下流側導水路２３０の幅が、入口部２３０ａから出口部２３０ｂに向けて大きくなるように形成されているので、便器洗浄動作の後半において貯水タンク４から便器本体２０２の供給口６へ供給される洗浄水の水勢が弱まってくる場合において、出口部２３０ｂから流出する洗浄水は、下流側導水路２３０の幅の広がりに合わせて扇形に広がるような流れを形成でき、ボウル部８の広範囲をより均一に洗浄することができる。
【００７９】
次に、図６により、本発明の第４実施形態を説明する。第４実施形態に関し、上述した第１実施形態と同一部分には同一符号を付し説明は省略する。
【００８０】
本発明の第４実施形態による水洗大便器３０１は、陶器等からなる便器本体３０２を有する。
便器本体３０２のボウル部３０８の上縁部には、内側にオーバーハングしたリム部３１８と、リム通水路３２０上に形成された第１吐水口３３９及び第２吐水口３４１を備え、これらの第１吐水口３３９及び第２吐水口３４１から、便器本体３０２の後方側の内部に形成される導水路３１０から供給される洗浄水が吐水されるようになっている。
この第４実施形態においては、リム部が、第１乃至第３実施形態によるオープンリムタイプの形態とは異なり、いわゆるフチなしタイプのリム部３１８となっている。フチなしタイプのリム部３１８を有する水洗大便器３０１は、洗浄水を第１吐水口３３９及び第２吐水口３４１からリム部３１８上に吐水し、汚物受け面１６を旋回する旋回流を形成するようになっている。なお、第４実施形態による水洗大便器３０１は、第１吐水口３３９のみを有していてもよく、導水路３１０の流路の延長上に配置される第１吐水口３３９をリム部全周のうちのいずれの場所に配置していてもよい。
【００８１】
この第１吐水口３３９から吐水された洗浄水は、リム通水路３２０のリム通水路底面（棚面）３２４上を流れてボウル部３０８の上部を旋回し、旋回しながらリム通水路底面３２４から汚物受け面１６に下降してボウル部３０８を洗浄するようになっている。また、第２吐水口３４１から吐水された洗浄水は、リム通水路３２０のリム通水路底面３２４上を流れてボウル部３０８の上部を旋回し、旋回しながらリム通水路底面３２４から汚物受け面１６に下降してボウル部３０８を洗浄するようになっている。
なお、本実施形態においては、リム部３１８は内側にオーバーハングしているが、ほぼ垂直に延びる縦壁状の形態を有していてもよい。
【００８２】
リム部３１８は、ボウル部３０８の上縁部のほぼ全周又は大部分の内側に形成されて洗浄水を導くことができるようになっている。このリム部３１８は、汚物受け面１６の上方に位置しその内壁面であるリム通水路外側壁面３３４の上部が内側に向って張り出すように形成されている。また、リム部３１８は、リム部３１８のリム通水路底面３２４が内方に向って水平方向に延びて形成されている。よって、リム部３１８は、リム通水路底面３２４上にリム通水路３２０を形成している。リム部３１８の周方向に沿って形成されたリム通水路３２０の内側且つ下方は全周にわたって開口されており、ボウル部３０８の汚物受け面１６が形成されている。
【００８３】
リム通水路底面３２４は、ボウル部３０８のほぼ全周に亘って形成された棚状のリム通水路底面３２４を形成している。リム通水路底面３２４は、ボウル部３０８の上部に環状に形成された平坦面を形成し、この平坦面はボウル部３０８の外側方向から内側方向においては、ほぼ水平に形成されている。このような構成により、導水路３１０から供給された洗浄水が、リム通水路３２０においてリム通水路底面３２４上を流れながらボウル部３０８の上部を一周するような流れを形成することができる。
【００８４】
導水路３１０は、供給口６と、第１吐水口３３９及び第２吐水口３４１との間に形成され、供給口６近傍から便器本体３０２の右側へと延びる上流側導水路２８と、この上流側導水路２８から左側へと延びる下流側導水路３３０とを備えている。
本発明の第４実施形態における下流側導水路３３０は、本発明の第１実施形態における下流側導水路３０と同様の構造及び機能を有している。ただし、下流側導水路３３０の出口部３３０ｂが第１吐水口３３９に連通され、また出口部３３０ｂから分岐した下流分岐導水路３４２が第２吐水口３４１まで延ばされている点で、本発明の第１実施形態における下流側導水路３０と異なっている。
【００８５】
次に、下流側導水路３３０について詳細に説明する。図６に示すように、下流側導水路３３０は、屈曲部３２に接続される入口部３３０ａから左側へと延び、リム通水路３２０に接続される出口部３３０ｂに至る流路を形成している。
【００８６】
下流側導水路３３０は、その入口部３３０ａが、中心線Ｃの右側領域に配置され、その中間部３３０ｄが、中心線Ｃ近傍の中央近傍領域に配置され、さらに、その出口部３３０ｂが、中心線Ｃに対して左側領域に配置されている。
【００８７】
第４実施形態においては、下流側導水路３３０の右側の内壁面３３８は、便器本体３０２の中心線Ｃに対する右側から、この中心線Ｃよりも左側まで延びている。
内壁面３３８は、下流側導水路３３０の入口部３３０ａを形成し且つ外周壁３２ａと接続される上流端部３３８ａと、出口部３３０ｂを形成し且つ中心線Ｃよりも左側に位置する下流端部３３８ｂと、を形成している。従って、内壁面３３８は、中心線Ｃの右側から左側まで中心線Ｃを超えて延びている。
【００８８】
第４実施形態においても、第１実施形態と同様に仮想的な形態の仮想下流側導水路４０の仮想中心線Ｅに対し、仮想内壁面４２を例えば平行移動させるように寄せることにより、本実施形態の下流側導水路３３０の内壁面３３８を形成している。
【００８９】
つぎに、図６により、本発明の第４実施形態による水洗大便器の作用（動作）を説明する。
本発明の第４実施形態において、導水路３１０に流入した洗浄水は、上流側導水路２８内を便器本体３０２の右側へと向かって流れる。すなわち、洗浄水は、中心線Ｃから遠ざかるように右側に向かって流れる。洗浄水が上流側導水路２８の出口部２８ａに到達すると、洗浄水が屈曲部３２において向きを変える。
【００９０】
つづいて、洗浄水は、反対側の左側前方に向かって延びる下流側導水路３３０に流入する。洗浄水は、直線的に延びる下流側導水路３３０に沿って入口部３３０ａから第１吐水口３３９に向かって直線的な流れを形成する。
第４実施形態の下流側導水路３３０の構造は、第１実施形態の下流側導水路３０の構造とほぼ同様であるため、第４実施形態の下流側導水路３３０における洗浄水の流れは、第１実施形態の下流側導水路３０における洗浄水の流れとほぼ同様となる。
【００９１】
第４実施形態においても、外周壁３２ａから連続する内壁面３３８に導かれる洗浄水は、下流側導水路３３０の右側の内壁面３３８に沿って流れる。内壁面３３８に沿って流れる洗浄水は、便器本体３０２の中心線Ｃよりも左側に位置する下流端部３３８ｂまでこの内壁面３３８に沿って流れることができる。この内壁面３３８の下流端部３３８ｂ近傍から流出する洗浄水は、下流側導水路３３０から内壁面３３８の延長線上のリム通水路３２０に向かう洗浄水の主流を直線的に形成することできる。
【００９２】
下流側導水路３３０を通る洗浄水は、中心軸線Ｃを越えて直線的に流れ、水勢を維持しながら流れの方向が比較的均一に整えられる。従って、洗浄水は、第１吐水口３３９から左右に拡がることが抑制され、流線Ａ４から流線Ａ５に沿って直線的に流れることができる。
一方、一部の洗浄水は、下流側導水路３３０から下流分岐導水路３４２に分岐して流れ、下流分岐導水路３４２に沿って直線的に流れた後、第２吐水口３４１からリム通水路底面３２４上に吐水されるようになっている。
【００９３】
第１吐水口３３９から流出する洗浄水は、リム通水路３２０上を周回しようとする洗浄水の流線Ａ５に沿って、リム通水路３２０を流れる。この洗浄水の旋回方向に向かう単位時間当たりの流量が増大されている。第１吐水口３３９からリム通水路３２０に向かって流出する際の洗浄水の流速及び水勢が強められ、且つオープンリム部以外のリム部（例えばフチなしタイプのリム部）を採用する場合であってもリム通水路３２０を旋回しようとする流れが形成されやすくなる。
また、第２吐水口３４１から流出する洗浄水は、リム通水路３２０上を周回しようとする洗浄水の流線Ａ６に沿って、リム通水路３２０を流れる。この洗浄水の旋回方向に向かう単位時間当たりの流量が増大されている。第２吐水口３４１からリム通水路３２０に向かって流入する際の洗浄水の流速及び水勢が強められ、且つオープンリム部以外のリム部（例えばフチなしタイプのリム部）を採用する場合であってもリム通水路３２０を旋回しようとする流れが形成されやすくなる。
【００９４】
このようにして、洗浄水が、リム通水路３２０におけるリム通水路底面３２４上を流れ、反時計回りの旋回流れを形成する。このような旋回流れを形成しながら、洗浄水が、リム通水路底面３２４の内側のボウル部３０８の汚物受け面１６に徐々に流下し、ボウル部３０８全体を均一に洗浄することとなる。ボウル部３０８を流下した洗浄水は、汚物とともに排水トラップ管路１４から排出されて、便器本体３０２の一連の洗浄動作が終了する。
【００９５】
上述した本発明の第４実施形態による水洗大便器３０１によれば、洗浄水が、便器本体３０２の右側へと延びる上流側導水路２８から、方向を変えて下流側導水路３３０に流入され、下流側導水路３３０に沿って、左側に導かれる。この右側から左側に導かれる洗浄水のうち、下流側導水路３３０の右側の内壁面３３８に沿って流れる洗浄水が、便器本体３０２の中心線Ｃよりも左側に位置する下流端部３３８ｂまでこの内壁面３３８に沿って流れることができる。従って、この内壁面３３８の下流端部３３８ｂ近傍から流出する洗浄水は、下流側導水路３３０から第１吐水口３３９及び第２吐水口３４１に向かう洗浄水の主流を形成することできる。よって、いわゆるフチなしタイプの水洗大便器において、第１吐水口３３９及び第２吐水口３４１から吐水された洗浄水は汚物受け面１６を旋回しようとする洗浄水の良好な旋回流を形成することができ、便器洗浄に使用する洗浄水量を少なく設定した場合においても、ボウル部３０８を旋回流により十分に洗浄することができる。
【００９６】
（今回の追加分）
次に、図７及び図８により、本発明の第５実施形態を説明する。この第５実施形態による水洗大便器において、上述した第１実施形態と同一部分には同一符号を付し、それらの説明は省略する。
【００９７】
図７及び図８に示すように、本発明の第５実施形態による水洗大便器５０１は、洗浄水を貯水する貯水タンク５０４を有する。貯水タンク５０４は、洗浄水を貯めるタンク本体５４４と、タンク本体５４４の底部５４４ａに設けられた排水口５４６と、排水口５４６の開閉を行う排水弁装置５４８と、排水口５４６に取り付けられ、洗浄水を便器本体２の供給口６に案内する筒状の洗浄水ガイド部材５５２と、を有する。
【００９８】
排水弁装置５４８は、所謂、直動式の排水弁装置であり、貯水タンク５０４内を上下方向に移動可能に形成された排水弁体５５０を備えている。この排水弁装置５４８は、貯水タンク５０４に設けられた操作レバー（図示せず）の操作により、排水弁体５５０が上下動することにより、排水口５４６が開閉するようになっている。
【００９９】
洗浄水ガイド部材５５２は、貯水タンク５０４の排水口５４６から便器本体２の供給口６へ洗浄水を導く流路であるガイド流路５５４を形成している。
洗浄水ガイド部材５５２は、その内壁の一部から流路５５４に突出した絞り部５５６を備えている。
【０１００】
絞り部５５６は、上述した導水路１０の上流側導水路２８の方向に突出する半月状の板部材である。この絞り部５５６が設けられた箇所のガイド流路５５４は、上流側導水路２８が延びる方向に向かって絞り部５５６が存在する面積の分だけ狭められている。
この洗浄水ガイド部材５５２の絞り部５５６により、供給口６に供給された洗浄水が、上流側導水路２８に向かって流れ易くなっている。
【０１０１】
なお、第５実施形態の水洗大便器５０１において、洗浄水ガイド部材５５２の絞り部５５６は半月状に形成されていたが、図９及び図１０に示す変形例のように形成してもよい。この変形例において、絞り部５５８は、洗浄水ガイド部材５５２の内壁の全周から流路５５４の内側に突出するようになっており、大円から小円をくり抜いたような形状に形成されている。この絞り部５５８においても、絞り部５５８が設けられた箇所のガイド流路５５４は、上流側導水路２８が延びる方向に向かって絞り部５５８が存在する面積の分だけ狭められている。この洗浄水ガイド部材５５２の絞り部５５８により、供給口６に供給された洗浄水が、上流側導水路２８に向かって流れ易くなっている。
【０１０２】
つぎに、図７乃至図１０により、本発明の第５実施形態による水洗大便器５０１の作用（動作）を説明する。
本発明の第５実施形態において、貯水タンク５０４に設けられた操作レバー（図示せず）の操作により、貯水タンク５０４の排水弁体５５０が動作され、排水口５４６が開き、洗浄水が洗浄水ガイド部材５５２に流入する。流入した洗浄水は、洗浄水ガイド部材５５２のガイド流路５５４に沿って流れ、便器本体２の供給口６に流出する。
このとき、洗浄水ガイド部材５５２のガイド流路５５４は、絞り部５５６，５５８によって洗浄水が上流側通水路２８の延びる方向に流れるように絞られているので、洗浄水が絞り部５５６，５５８に沿って流路５５４を流れると、この流路５５４を流れる洗浄水が上流側導水路２８の延びる方向に誘導され、上流側リム通水路２８の延びる方向へ流れ易くなっている。
そのため、上流側導水路２８が延びる方向へ向かう洗浄水の流れを作り出すことができ、より良好にリム通水路２０を旋回しようとする洗浄水の旋回流を形成することができる。
【符号の説明】
【０１０３】
１          水洗大便器
２          便器本体
４          貯水タンク（給水装置）
６          供給口
８          ボウル部
１０        導水路
１２        溜水部
１４        排水トラップ管路（排水路）
１４ａ      入口
１４ｂ      後端
１６        汚物受け面
１８        リム部
２０        リム通水路
２０ａ      合流部
２０ｂ      中央後方領域
２２        リム垂下壁部
２４        リム通水路底面
２６        スリット開口部
２８        上流側導水路
２８ａ      上流側導水路出口部
２８ｂ      上流側導水路入口部
２９        壁面
３０        下流側導水路
３０ａ      下流側導水路入口部
３０ｂ      下流側導水路出口部
３０ｃ      外側壁面
３０ｄ      下流側導水路中間部
３２        屈曲部
３２ａ      外周壁
３２ｂ      内周壁
３２ｃ      下流側端部
３４        リム通水路外側壁面
３６        取付部
３８        内壁面
３８ａ      上流端部
３８ｂ      下流端部
４０        仮想下流側導水路
４２        仮想内壁面
１０１      水洗大便器
１０２      便器本体
１１０      導水路
１３０      下流側導水路
１３０ａ    下流側導水路入口部
１３０ｂ    下流側導水路出口部
１３０ｄ    下流側導水路中間部
１３８      内壁面
１３８ａ    上流端部
１３８ｂ    下流端部
２０１      水洗大便器
２０２      便器本体
２１０      導水路
２３０      下流側導水路
２３０ａ    下流側導水路入口部
２３０ｂ    下流側導水路出口部
２３０ｄ    下流側導水路中間部
２３８      内壁面
２３８ａ    上流端部
２３８ｂ    下流端部
３０１      水洗大便器
３０２      便器本体
３０６      リム通水路
３０８      ボウル部
３１０      導水路
３１８      リム部
３２０      リム通水路
３２４      リム通水路底面
３３０      下流側導水路
３３０ａ    下流側導水路入口部
３３０ｂ    下流側導水路出口部
３３０ｄ    下流側導水路中間部
３３４      リム通水路外側壁面
３３８      内壁面
３３８ａ    上流端部
３３８ｂ    下流端部
３３９      第１吐水口
３４１      第２吐水口
３４２      下流分岐導水路
５０１      水洗大便器
５０４      貯水タンク
５４４      タンク本体
５４４ａ    底部
５４６      排水口
５５２      洗浄水ガイド部材
５５４      ガイド流路
５５６      絞り部
５５８      絞り部
ａ１        位置
ａ２        位置
Ａ１        中心線
Ａ３        流線
Ｃ          中心線
ｃ１        中心点
Ｃ２        交点
Ｄ          取付位置線
Ｅ          仮想中心線
Ｆ          実際中心線
Ｒ１        曲率半径
Ｒ２        曲率半径
ｒ１        半径
ｒ２        半径
【図１】
0006768195.tif 000002
【図２】
0006768195.tif 000003
【図３】
0006768195.tif 000004
【図４】
0006768195.tif 000005
【図５】
0006768195.tif 000006
【図６】
0006768195.tif 000007
【図７】
0006768195.tif 000008
【図８】
0006768195.tif 000009
【図９】
0006768195.tif 000010
【図１０】
0006768195.tif 000011
【図１１】
0006768195.tif 000012